(57)【要約】    【課題】  釣竿全体の長さを尻栓を用いて調整可能であり、尻栓の竿体に対する嵌着力を良好なものとし、且つ、穂先側に位置する竿体を尻栓で受けることも可能な釣竿を提供する。    【解決手段】  この釣竿は、元竿１と、元竿１の穂先側に振出形式に連結された元上竿２と、元上竿２の穂先側に連結される竿体ユニット３と、元竿１の竿元側端部に脱着自在に装着されている尻栓１０とを備えている。この尻栓１０は、キャップ部１１と、キャップ部１１の内部に収納されるズームピン１２とを有する。ズームピン１２は、複数の割りによって、元上竿２が嵌着する元上竿用嵌着部分２１と、座ゴム２５を装着するための座ゴム用装着部分２２とに区分されている。元上竿２を元上竿用嵌着部分２１に嵌着させた際に、このズームピン１２は座ゴム２５の影響を受けない。【選択図】      図２
2005058140.tif 000002
【特許請求の範囲】
【請求項１】
第１竿体と、前記第１竿体の穂先側に出し入れ自在に振出形式で連結される第２竿体と、前記第２竿体の穂先側に連結される竿体ユニットと、前記第１竿体の竿元側端部に脱着自在に装着されている尻栓とを備え、
前記尻栓は、穂先側に開口する略蓋付き円筒型部材であり前記第１竿体の竿元側端部内周面に装着される装着面を外周面に有するキャップ部と、前記キャップ部の内部に収納されつつ前記キャップ部に連結される略円筒型部材であり穂先側端部に前記竿体ユニットの竿元側端部が当接するためのゴム座を有するズームピンとを有しており、
前記ズームピンは、前記第２竿体の竿元側端部内周面を装着する装着面を外周面に有する第２竿体用装着部分及び前記ゴム座を装着する装着面を有するゴム座用装着部分とを有し、前記第２竿体用装着部分と前記ゴム座用装着部分とは相互に独立している、釣竿。
【請求項２】
前記ズームピンは略円筒型の本体部を有し、前記本体部には周方向に間隔を隔てて複数の割りが穂先側端部より軸方向に延びて形成され、前記割りによって前記本体部は周方向に於いて複数の部分に区分されており、
前記区分された部分の１つは前記第２竿体の竿元側端部内周面を装着する装着面が外周面に形成された前記第２竿体用装着部分であり、前記第２竿体用装着部分に隣接する前記区分された部分の他の１つは前記ゴム座を装着する装着面が内周面に形成された前記ゴム座用装着部分であり、
前記第２竿体用装着部分と前記ゴム座用装着部分とは前記本体部の周方向に交互に配列され、第２竿体用装着部分の最大外径はゴム座用装着部分の外径より大きい、請求項１に記載の釣竿。
【請求項３】
前記ズームピンは略円筒型の本体部を有し、前記本体部内に収納されつつ前記本体部に装着される略円筒型の筒部をさらに備え、前記本体部が前記第２竿体用装着部分であり、前記筒部が前記ゴム座を装着する装着面を内周面に有するゴム座用装着部分である、請求項１に記載の釣竿。
【発明の詳細な説明】
【技術分野】
【０００１】
本発明は竿体を振出形式に連結してなる釣竿、特に、釣竿全体の長さを調整可能としている釣竿に関する。
【背景技術】
【０００２】
一般に、釣竿は複数の筒状体である竿体を連結して一本の釣竿となっている。このような複数の竿体を連結する方式としては、振出形式と呼ばれるものがある。この振出形式とは、複数の筒状の竿体が穂先側の竿体から順次竿元側の竿体内に挿入可能にしている。釣りを行う際には各竿体を順次穂先側に引き出して嵌合固定して一本の竿体として用いる。一方、収納時には穂先側の竿体を順次竿元側の竿体内に収納してコンパクトな状態とする。
【０００３】
さらに、このような従来の振出形式の釣竿には、竿全体の長さを変化させて釣りを行えるようにしたものがある。例えば、このような釣竿の元竿とその穂先側に連結される元上竿とにおいては、元竿の竿元側端部に装着される尻栓に元上竿の竿元側端部を装着できるようにしている。即ち、ある種の釣竿では、元上竿を元竿内に収納した際に、元上竿の竿元側端部を尻栓に嵌着させる。そして、元竿の穂先側に連結される元上竿が穂先側に引き出された状態（以下「延伸状態」という）と元上竿が元竿内に挿入された状態（以下「収納状態」という）とのいずれの状態においても、元上竿と元竿とは互いに嵌合固定可能であり、状況に応じて竿全体の長さを変化させて釣りを行えるのである（例えば、特許文献１参照）。
【０００４】
上述のように尻栓を利用して元上竿を元竿内において嵌合固定するに際して、生じる要請の１つに、元上竿より穂先側の竿体（中竿など）を尻栓で受けるということがある。即ち、釣竿においては、元上竿の穂先側にも他の中竿などが振出形式に連結されており、元竿内に他の中竿なども収納されてくる。この収納されてくる中竿の竿元側端部は元竿の尻栓に当たるので、尻栓にはこの中竿などを受ける受け部（一般に、ゴム盤・ゴム座などの弾性部材を配置する）が必要となる。
【０００５】
そして、従来のこのような尻栓では、元上竿と嵌着して元上竿を固定し位置決めするための部分と、受け部とが共通の部分となっている。例えば、上述の特許文献１に於いては、元上竿と嵌着する部分が中実の略円筒型部材であり、その穂先側端面が直接中竿などを受ける。また、図７に示すように、軽量化のため元上竿と嵌着する部分を中空の略円筒型部材とし、その穂先側端部にゴム座をはめ込んでいるものもある。
【特許文献１】特開２０００−３５４４３７号公報
【発明の開示】
【発明が解決しようとする課題】
【０００６】
ところで、元上竿と尻栓との嵌着を円滑化するためには、元上竿と嵌着する周面に一定の「たわみ性」をつけるのが好ましい。即ち、元上竿と嵌着する周面に「たわみ性」（弾力性）をつけて、当該周面に元上竿が嵌着するようにすることで、当該周面の元上竿に対する嵌合力を調整し且つ円滑な嵌着を図るのである。
【０００７】
しかし、このように、元上竿との嵌着のための部分と中竿などの受け部とを共通化すると、このようなたわみ性の演出に影響が生じる。例えば、上述の特許文献１のように元上竿と嵌着する部分を中実にすれば「たわみ性」が十分に演出し難い。一方、元上竿と嵌着する部分を中空にしても、上述のようにゴム座を中空部分にはめ込んで蓋をしてしまえば、元上竿と嵌着する部分の「たわみ性」は低下する。
【０００８】
本発明の課題は、釣竿全体の長さを尻栓を用いて調整可能であり、尻栓の竿体に対する嵌着力を良好なものとし、且つ、穂先側に位置する竿体を尻栓で受けることも可能な釣竿を提供することにある。
【課題を解決するための手段】
【０００９】
本発明の釣竿は、第１竿体と、第１竿体の穂先側に出し入れ自在に振出形式で連結される第２竿体と、第２竿体の穂先側に連結される竿体ユニットと、第１竿体の竿元側端部に脱着自在に装着されている尻栓とを備えている。この尻栓は、穂先側に開口する略蓋付き円筒型部材であり第１竿体の竿元側端部内周面に装着される装着面を外周面に有するキャップ部と、キャップ部の内部に収納されつつキャップ部に連結される略円筒型部材であり穂先側端部に竿体ユニットの竿元側端部が当接するためのゴム座を有するズームピンとを有している。そして、ズームピンは、第２竿体の竿元側端部内周面を装着する装着面を外周面に有する第２竿体用装着部分及びゴム座を装着する装着面を有するゴム座用装着部分とを有し、第２竿体用装着部分とゴム座用装着部分とは相互に独立している。
【００１０】
この釣竿では、第１竿体の穂先側に連結されている第２竿体及び竿体ユニットを穂先側に引き出して一本の長い釣竿として用いられる。また、使用後には各竿体を順次第１竿体内に収納して短くコンパクトな状態とする。さらに、第１竿体と第２竿体とは、第２竿体を第１竿体内に収納した収納状態と、第２竿体を第１竿体の穂先側に引き出した延伸状態との何れに於いても相互に連結固定でき、釣竿全体の長さを調整しつつ釣りをおこなうことができる。
【００１１】
収納状態においては、第２竿体の竿元側端部の内周面が尻栓のズームピンの第２竿体用装着部分の外周面に装着する。また、釣竿使用後に各竿体ユニットも含めて全ての竿体を第１竿体内に収納する際には、竿体ユニットの竿元側端部をゴム座が受ける。このゴム座はズームピンのゴム座用装着部分に装着されており、且つ、ゴム座用装着部分は第２竿体用装着部分から独立している。よって、第２竿体用装着部分への第２竿体の装着程度にゴム座は影響しない。
【００１２】
このようなズームピンの１つは、略円筒型の本体部を有し、本体部には周方向に間隔を隔てて複数の割りが穂先側端部より軸方向に延びて形成され、割りによって本体部は周方向に於いて複数の部分に区分されている。区分された部分の１つは第２竿体の竿元側端部内周面を装着する装着面が外周面に形成された第２竿体用装着部分である。また、第２竿体用装着部分に隣接する区分された部分の他の１つはゴム座を装着する装着面が形成されたゴム座用装着部分である。そして、これらの第２竿体用装着部分とゴム座用装着部分とは本体部の周方向に交互に配列される。また、第２竿体用装着部分の最大外径はゴム座用装着部分の外径より大きい。
【００１３】
このようなズームピンを利用した尻栓を含む釣竿においては、収納状態において、第２竿体の竿元側端部内周面がズームピンの第２竿体用装着部分の外周面に装着する。割りによって区分された本体部の一部である第２竿体用装着部分は、第２竿体の竿元側端部の装着に伴ってたわみ、その装着乃至嵌着の程度を円滑なものとしている。また、このようなたわみが第２竿体用装着部分に生じても、ゴム座用装着部分は第２竿体用装着部分に連動してたわむことはなく、従って、ゴム座によって、第２竿体用装着部分のたわみに影響は生じない。
【００１４】
さらに別のズームピンは略円筒型の本体部を有し、本体部内に収納されつつ本体部に装着される略円筒型の筒部をさらに備え、本体部が第２竿体用装着部分であり、筒部がゴム座を装着する装着面を内周面に有するゴム座用装着部分である。
【００１５】
このようなズームピンを利用した尻栓を含む釣竿においては、収納状態において、第２竿体の竿元側端部内周面がズームピンの本体部（第２竿体用装着部分）の外周面に装着する。この本体部は、第２竿体の竿元側端部の装着に伴ってたわみ、その装着乃至嵌着の程度を円滑なものとしている。また、このようなたわみが第２竿体用装着部分に生じても、本体部内に形成されている別個の筒部（ゴム座用装着部分）は本体部に連動してたわむことはなく、従って、ゴム座によって、第２竿体用装着部分のたわみに影響は生じない。
【発明の効果】
【００１６】
本発明の釣竿では、釣竿全体の長さを調整しつつ釣りをおこなうことが可能であり、尻栓の竿体に対する嵌着力を良好なものとし、且つ、穂先側に位置する竿体を尻栓で受けることもできる。
【発明を実施するための最良の形態】
【００１７】
［第１実施形態］
以下、本発明の第１実施形態について図面を参照しつつ説明する。
【００１８】
（釣竿の概要）
本発明の第１実施形態を採用した釣竿は、複数の竿体を振出形式に連結して構成される。図１に示すように、最も竿元側に位置する竿体が太径の元竿１である。この元竿１の竿元側端部には尻栓１０が脱着自在に装着される。さらに、元竿１の穂先側には振出形式に元上竿２が連結されており、さらに、元上竿２の穂先側には複数の竿体を振出形式に連結してなる竿体ユニット３が振出形式に連結されている。
【００１９】
元竿１は炭素繊維またはガラス繊維等に合成樹脂を含浸させたプリプレグから形成される先細り筒状部材である。穂先側に位置する他の竿体（元上竿２や竿体ユニット３を構成する各竿体）も元竿１と同種の先細り筒状部材である。そして、穂先側に位置する竿体から順次竿元側に位置する竿体の内部に挿入され出し入れ自在になっており、最終的には元竿１の内部に収納されコンパクトな状態となる。元竿１の周面には、必要に応じて、リールシートやグリップなど部品も装着される。また、元上竿２などその余の竿体の周面には、リールシートからの釣糸を案内するための釣糸ガイド５等が適宜装着されている。
【００２０】
元竿１の穂先側端部内周面には、元上竿２の穂先側への抜け止め及び元上竿２を振出形式に連結するための嵌合部分も形成される。また、元上竿２などについても同種の嵌合部分が設けられる。さらに、図２に示すように、元竿１の竿元側端部内周面にはねじ溝が形成されており、ここに尻栓１０が螺着している。このような釣竿では、竿体ユニット３〜元上竿２を元竿１の穂先側に引き出して一本の長い釣竿となる。使用後には、竿体ユニット３〜元上竿２を順次元竿１内に収納してコンパクトな状態となる。さらに、元竿１と元上竿２とにおいては、以下に詳しく説明する尻栓１０を利用して、元竿１内に元上竿２を収納した収納状態においても、元上竿２を尻栓１０に装着することで、元竿１と元上竿２とを連結固定して相互の位置決めが可能である。即ち、元上竿２を元竿１の穂先側に引き出した延伸状態と（図１（ａ）参照）、元上竿２を元竿１内に収納した収納状態（図１（ｂ）参照）との何れに於いても釣りをおこなうことが可能となっている。
【００２１】
（元竿１と元上竿２とについて）
図２に詳しく示すように、元竿１の竿元側端部には尻栓１０が脱着自在に装着されている。尻栓１０は、穂先側に開口する略蓋付き円筒型部材であり元竿１の竿元側端部内周面のねじ溝に螺着する外周面に有するキャップ部１１と、キャップ部１１の円筒型部分の内部に収納されつつキャップ部１１に連結されている略円筒型部材であるズームピン１２とからなる。
【００２２】
キャップ部１１は、元竿１の竿元側端部に装着されるキャップとなっており、略円筒型の外周面にねじ溝が形成されている。キャップ部１１の竿元側端部は拡径する鍔状になっている。必要に応じて元竿１の竿元側端部とキャップ部１１との間にはワッシャーなどを介在させてもよい。このキャップ部１１の蓋付き円筒型部分の内部の竿元側にねじ部分が設けられており、このねじ部分にズームピン１２が螺着している。
【００２３】
ズームピン１２は、図３にも詳しく示すように、略円筒型の本体部２０を有し、本体部２０の穂先側にゴム座２５が装着されている。
【００２４】
本体部２０は、PBTなどの一定の弾性を有する合成樹脂から形成される穂先側・竿元側共に開口している略円筒型部材である。本体部２０の竿元側端部内周面には上述のキャップ部１１に螺着するためのねじ部分が形成されている。そして、本体部２０はその穂先側の一部をキャップ部１１より穂先側に突出させた状態で、キャップ部１１内に収納されている。この際、キャップ部１１の内周面と、ズームピン１２の本体部２０の外周面との間にはクリアランスが設けられる。このクリアランス内に元上竿２が挿入されてくる（図２参照）。
【００２５】
図３に示すように、本体部２０には穂先側端部より軸方向に延びる複数の割りが形成されている。その数は任意であるが、例えば、図３に示すように、６つの割りを本体部２０に形成し、本体部２０を６つの部分に区分する。
【００２６】
本体部２０の区分された部分の１つは、元上竿２が嵌着して装着される元上竿用嵌着部分２１である。元上竿用嵌着部分２１の外周面には、穂先側端部において一段拡径した突起を形成している。その外径は元上竿２の内径よりやや大きく設定しており、元上竿２が嵌着すると、元上竿用嵌着部分２１は内径方向にややたわむようになっている。さらに、元上竿用装着部分２１の内径は、穂先側ほど大径化するようなテーパ面となっている。このように構成することで、元上竿用嵌着部分２１は穂先側ほどたわみやすくなっている。
【００２７】
この元上竿用装着部分２１に隣接する本体部２０の区分された部分の他の１つはゴム座２５を装着するためのゴム座用装着部分２２である。ゴム座用装着部分２２は突起が形成されていない分だけ、元上竿用装着部分２１に比較してその外径が小さい。また、ゴム座用装着部分２２は、元上竿用装着部分２１に比較して肉厚に加工されており、穂先側端面に軸方向に凹入している孔２２ａが形成されている。元上竿用装着部分２１はゴム座用走着部分２２に比べて大径化している。元上竿２と嵌着する際に、この元上竿用装着部分２１のみがその嵌着に寄与するためである。特に、元上竿用装着部分２１の先端側の外周面には突起が形成され、元上竿２との嵌着に配慮している。
【００２８】
本体部２０に於いては、このような元上竿用装着部分２１とゴム座用装着部分２２とがそれぞれ３つずつ形成され、且つ交互に隣接して配置されている。なお、ここでは、元上竿用装着部分２１とゴム座用装着部分２２とを周方向おいて交互に配置しているが、これに限定されるものではなく、また、上述のように、割りによって区分される各部分の数も任意である。
【００２９】
ゴム座２５は、図４に詳しく示すような略円盤形の部材である。NBRなどの弾性ゴムから構成されている。ゴム座２５の竿元側の面には、上述の孔２２ａに挿入するための突起２５ａが形成されている。この突起２５ａを孔２２ａに挿入することで、ゴム座２５は本体部２０のゴム座用装着部分２２に装着されている。なお、このようなゴム座２５の本体部２０への装着手法に代えて、例えば、ゴム座の外周面に周方向に延びる凹凸を形成し、ゴム座用装着部分２２の内周面に対応する凹凸を形成し、これらを嵌めあわせる手法を採用することもできる。
【００３０】
この釣竿では、上述のように、元上竿２を元竿１内に収納した収納状態と、元上竿２を元竿１の穂先側に引き出した延伸状態との何れに於いても相互に連結固定でき、釣竿全体の長さを調整しつつ釣りをおこなうことができるものである。
【００３１】
延伸状態においては、一般の振出形式の釣竿の竿体間と同様に、元上竿２の竿元側端部外周面を元竿１の穂先側端部内周面に嵌着させて相互に連結固定する。他方、収納状態においては、図２に示すように、元上竿２の竿元側端部の内周面を尻栓１０に嵌着させて装着させる。
【００３２】
詳しく述べると、収納状態において、元上竿２の竿元側端部内周面は尻栓１０のキャップ部１１の内周面とズームピン１２との外周面との間のクリアランスに入り込み、元上竿用装着部分２１の外周面に装着する。割りによって区分されたズームピン１２の本体部２０の一部である元上竿用装着部分２１は、元上竿２の竿元側端部の装着に伴ってたわみ、その装着乃至嵌着の程度を円滑なものとしている。また、このようなたわみが元上竿用装着部分２１に生じても、ゴム座用装着部分２２は元上竿用装着部分２１に連動してたわむことはない。従って、ゴム座２５があることによって、元上竿用装着部分２１のたわみに影響が生じず、元上竿２の尻栓１０への装着は円滑なものとなっている。
【００３３】
釣竿を構成する各竿体を全て元竿１内に収納してコンパクトな状態にするに当たっても、元上竿２は元竿１内に収納されて尻栓１０に装着されるが、さらに、竿体ユニット３を構成する各竿体も元上竿２内に収納され、その竿元側端部が尻栓１０に当たる。尻栓１０にはゴム座２５があり、このゴム座２５が竿体ユニット３を構成する竿体を受ける。
【００３４】
［第２実施形態］
本発明の第２実施形態を採用する釣竿の元竿１に装着されている尻栓３０を。図５及び図６に示す。この釣竿の概要は、第１実施形態と同様であり説明を省略し、元竿１、元竿２及び尻栓３０について詳しく説明する。
【００３５】
尻栓３０は、第１実施形態と同様に、穂先側に開口する略蓋付き円筒型部材であり元竿１の竿元側端部内周面のねじ溝に螺着する外周面に有するキャップ部３１と、キャップ部３１の円筒型部分の内部に収納されつつキャップ部３１に連結されている略円筒型部材であるズームピン３２とからなる。
【００３６】
キャップ部３１の構造は上記第１実施形態と同様である。キャップ部３１は元竿１の竿元側端部に螺着すると共に、その内部にズームピン３２が連結されている。他方、ズームピン３２は、略円筒型の本体部４０と、本体部４０内に収納されつつ本体部４０に装着される略円筒型の筒部４１と、筒部４１に装着されるゴム座４２とからなる。
【００３７】
本体部４０は、PBTなどの一定の弾性を有する合成樹脂から形成される穂先側に開口している略円筒型部材である。本体部４０の竿元側は閉塞されており、本体部４０の竿元側端面に上述のキャップ部３１に螺着するためのねじ部分が形成されている。そして、本体部４０はその穂先側の一部をキャップ部３１より穂先側に突出させた状態で、キャップ部４１内に収納されている。この際、キャップ部３１の内周面と、ズームピン３２の本体部４０の外周面との間には、第１実施形態と同様に、クリアランスが設けられ、このクリアランス内に元上竿２が挿入される。また、本体部４０には穂先側端部より軸方向に延びる複数の割りが形成されている。その数は任意である。本体部４０はその外径を元上竿２の竿元側端部の内径にあわせて調整している。この本体部４０に於いては外周面に突起などを形成していないが、上記第１実施形態と同様の突起等を形成してもよい。この本体部４０の外周面に元上竿２の竿元側端部内周面が嵌着することになり、この本体部４０が元上竿２用装着部分となる。
【００３８】
筒部４１は、本体部４０内の中空に収納された部分である。筒部４１の外周面と本体部４０の内周面との間にも一定のクリアランスを設けてある。筒部４１の竿元側端部は本体部４０に一体的に連結されており、穂先側に向かって開口している。もっとも、筒部４１を本体部４０から分離可能としてもよい。この筒部４１に穂先側からゴム座４２が装着されている。即ち、この筒部４１がゴム座装着部分である。
【００３９】
ゴム座４２は、穂先側に外径が拡径した頭部分を有する栓状の部材である。第１実施形態と同様に、NBRなどの弾性ゴムから構成されている。ゴム座４２の竿元側部分が筒部４１に挿入されてゴム座４２は筒部４１に装着されている。ゴム座４２の頭部分の外径は元上竿２より小さく設定される。
【００４０】
このような釣竿でも、第１実施形態と同様に、元上竿２を元竿１内に収納した収納状態と、元上竿２を元竿１の穂先側に引き出した延伸状態との何れに於いても相互に連結固定でき、釣竿全体の長さを調整しつつ釣りをおこなうことができる。即ち、延伸状態においては、一般の振出形式の釣竿の竿体間と同様に、元上竿２の竿元側端部外周面を元竿１の穂先側端部内周面に嵌着させて相互に連結固定する。他方、収納状態においては、図６に示すように、元上竿２の竿元側端部の内周面を尻栓３０に嵌着させて装着させる。
【００４１】
詳しく述べると、収納状態において、元上竿２の竿元側端部内周面は尻栓３０のキャップ部３１の内周面とズームピン３２との外周面との間のクリアランスに入り込み、元上竿用装着部分２１の外周面に装着する。割りによって区分されたズームピン３２の本体部４０は、元上竿２の竿元側端部の装着に伴ってたわみ、その装着乃至嵌着の程度を円滑なものとしている。また、本体部４０にたわみが生じても、本体部４０内の筒部４１は連動してたわむことはない。従って、ゴム座４２が筒部４１にはめ込まれていることによって、本体部４０のたわみに影響は生じない。
【図面の簡単な説明】
【００４２】
【図１】本発明の第１実施形態を採用した釣竿を示した図。
【図２】図１の元竿１と元上竿２と尻栓１０とを示した図。
【図３】尻栓１０のズームピン１２を示した図。
【図４】尻栓１０のゴム座２５を示した図。
【図５】本発明の第２実施形態を採用した釣竿の尻栓３０を示した図。
【図６】本発明の第２実施形態を採用した釣竿の尻栓３０付近を示した図。
【図７】従来の釣竿の尻栓付近を示した参考図。
【符号の説明】
【００４３】
１  元竿
２  元上竿
１０，３０  尻栓
１１，３１  キャップ部
１２，３２  ズームピン
２５，４２  ゴム座
【図１】
2005058140.tif 000003
【図２】
2005058140.tif 000004
【図３】
2005058140.tif 000005
【図４】
2005058140.tif 000006
【図５】
2005058140.tif 000007
【図６】
2005058140.tif 000008
【図７】
2005058140.tif 000009